(57)【要約】【課題】  記録媒体の照合を正確に行うことができる画像ファイル編集装置を提供する。【解決手段】  本発明の画像ファイル編集装置は、媒体ドライブ手段と、編集手段と、記憶手段と、表示手段と、情報処理手段とを有する。媒体ドライブ手段は、着脱可能な記録媒体に対して、複数の動画ファイルの書き込みおよび読み出しが可能である。編集手段は、媒体ドライブ手段に装填された記録媒体上の動画ファイルを編集する。表示手段は、記録媒体の動画ファイルを表示部に表示させる。情報処理手段は、記録媒体が媒体ドライブ手段に装填されてから排出されるまでの期間中に、記録媒体に記録されたＩＤ情報を、媒体ドライブ手段を用いて記憶手段に格納し、記憶手段に格納したＩＤ情報に基づいて、媒体ドライブ手段に装填されていない記録媒体に書き込まれている動画ファイルの識別情報を表示部に一覧表示させる。【選択図】      図１
2005110290.tif 000002
【特許請求の範囲】
【請求項１】
着脱可能な記録媒体に対して、複数の動画ファイルの書き込みおよび読み出しが可能な媒体ドライブ手段と、
前記媒体ドライブ手段に装填された前記記録媒体上の動画ファイルを編集する編集手段と、
前記動画ファイル、および前記記録媒体を識別するためのＩＤ情報を記憶する記憶手段と、
前記記録媒体の動画ファイルを表示部に表示させる表示手段と、
前記記録媒体が前記媒体ドライブ手段に装填されてから排出されるまでの期間中に、前記記録媒体に記録された前記ＩＤ情報を、前記媒体ドライブ手段を用いて前記記憶手段に格納し、前記記憶手段に格納した前記ＩＤ情報に基づいて、前記媒体ドライブ手段に装填されていない前記記録媒体に書き込まれている動画ファイルの識別情報を前記表示部に一覧表示させる情報処理手段と
を備えたことを特徴とする画像ファイル編集装置。
【請求項２】
請求項１に記載の画像ファイル編集装置において、
前記識別情報は、動画ファイルの作成日時である
ことを特徴とする画像ファイル編集装置。
【請求項３】
請求項１に記載の画像ファイル編集装置において、
前記識別情報は、動画ファイルのファイル名である
ことを特徴とする画像ファイル編集装置。
【請求項４】
請求項１に記載の画像ファイル編集装置において、
前記識別情報は、動画ファイルの先頭フレームであるサムネイルである
ことを特徴とする画像ファイル編集装置。
【請求項５】
請求項１に記載の画像ファイル編集装置において、
前記ＩＤ情報は、前記記録媒体の容量に関する情報を含む
ことを特徴とする画像ファイル編集装置。
【請求項６】
請求項１に記載の画像ファイル編集装置において、
前記ＩＤ情報は、前記記録媒体のファイル名に関する情報を含む
ことを特徴とする画像ファイル編集装置。
【請求項７】
請求項１に記載の画像ファイル編集装置において、
前記ＩＤ情報は、前記記録媒体のファイル数に関する情報を含む
ことを特徴とする画像ファイル編集装置。
【請求項８】
請求項１に記載の画像ファイル編集装置において、
前記ＩＤ情報は、前記記録媒体のボリュームラベルである
ことを特徴とする画像ファイル編集装置。
【請求項９】
請求項１に記載の画像ファイル編集装置において、
前記情報処理手段は、前記記録媒体が前記媒体ドライブ手段に装填されてから排出されるまでの期間中に装填された前記記録媒体の前記ＩＤ情報の少なくとも一部と、前記記憶手段に格納された前記ＩＤ情報の一部とを照合する
ことを特徴とする画像ファイル編集装置。
【請求項１０】
請求項１に記載の画像ファイル編集装置において、
前記情報処理手段は、前記媒体ドライブ手段への前記記録媒体の装填に応答して、前記記録媒体に前記ＩＤ情報が記録されているか否かを判断し、前記ＩＤ情報が前記記録媒体に記録されていないと判断した場合に、前記記録媒体に前記ＩＤ情報を記録する
ことを特徴とする画像ファイル編集装置。
【発明の詳細な説明】
【技術分野】
【０００１】
本発明は、記録媒体上の画像ファイル（音声データを含んでもよい）を編集する画像ファイル編集装置に関し、特に、着脱可能（リムーバブル）な記録媒体上の画像ファイルを簡便に編集する画像ファイル編集装置に関する。
【背景技術】
【０００２】
従来、動画像もしくは静止画像などからなる画像ファイルに対し、連結処理や合成処理などの編集作業を施す画像ファイル編集装置が知られている。
このような編集作業を行うことにより、例えば、撮像時に複数シーンに分けて撮像された画像ファイルを、後から適宜に連結して一つの映像作品を作り上げることができる。
また近年、ディジタル信号処理の発展により、上述の画像ファイル編集装置を、コンピュータを用いて実現するためのプログラムが開発されている。
【０００３】
図７は、この種のプログラムにおけるコンピュータの表示画面を示す図である。
図７において、表示画面５１の左下には、サムネイル画像（thumbnail）を一覧表示するためのサムネイル表示部５２が表示される。表示画面５１の上側には、サムネイル画像をドラッグ＆ドロップ操作により適宜に配置するための編集領域５３が表示される。また、表示画面５１の最上部には、ファイル操作を行うためのファイルメニュー５４などが一列に表示される。
【０００４】
以下、この画面に対する操作者の対話操作を説明する。
まず、操作者は、ファイルメニュー５４を操作して、記録媒体上の画像ファイルを選択する。
コンピュータは、選択された画像ファイルから先頭画像を部分的に読み出し、その先頭画像の画素密度を低減してサムネイル画像を生成する。このように生成されたサムネイル画像は、サムネイル表示部５２に一覧表示される。
【０００５】
図７では、画像ファイルＡおよび画像ファイルＢのサムネイル画像が一覧表示される。
この状態で、操作者は、サムネイル表示部５２のサムネイル画像を、編集領域５３までドラッグ＆ドロップする。
すると、コンピュータは、サムネイル画像のドロップ位置に応じて、サムネイル画像を列状に配列する。
【０００６】
ここで、編集領域５３右上の再生釦（三角印）がクリック操作されると、コンピュータは、編集領域５３に並べられたサムネイル画像の順番に、対応する画像ファイルを順次に読み出す。コンピュータは、このように読み出された画像ファイルを、表示画面５１上に臨時作成する子ウィンドウ（図示せず）の上で順次再生する。
また、ファイルメニュー５４などにおいて「コンパイルムービー」が選択されると、コンピュータは、編集領域５３に並べられたサムネイル画像の順番に、対応する画像ファイルを順次に連結し、１つの画像ファイルを生成する。
【発明の開示】
【発明が解決しようとする課題】
【０００７】
一般に、画像ファイルはファイル容量が大きくなるため、一連の画像ファイルを一つの記録媒体に収めることができず、複数の記録媒体に分けて記録されることが多い。
例えば、結婚式のように長時間に及ぶイベントを、デジタルビデオカメラなどで撮影する場合、一つの記録媒体では撮影が完了せず、複数の記録媒体に分けて画像ファイルが作成される。
【０００８】
このように複数の記録媒体に分けて記録された画像ファイルを編集する場合、操作者が、個々の記録媒体の内容を的確に把握しつつ、画像編集の進展に応じて記録媒体の交換を適宜に行わなければならない。
本発明の目的は、記録媒体の照合を正確に行うことができる画像ファイル編集装置を提供することである。
【課題を解決するための手段】
【０００９】
請求項１に記載の画像ファイル編集装置は、媒体ドライブ手段と、編集手段と、記憶手段と、表示手段と、情報処理手段とを備えている。媒体ドライブ手段は、着脱可能な記録媒体に対して、複数の動画ファイルの書き込みおよび読み出しが可能である。編集手段は、媒体ドライブ手段に装填された記録媒体上の動画ファイルを編集する。記憶手段は、動画ファイル、および記録媒体を識別するためのＩＤ情報を記憶する。表示手段は、記録媒体の動画ファイルを表示部に表示させる。情報処理手段は、記録媒体が媒体ドライブ手段に装填されてから排出されるまでの期間中に、記録媒体に記録されたＩＤ情報を、媒体ドライブ手段を用いて記憶手段に格納し、記憶手段に格納したＩＤ情報に基づいて、媒体ドライブ手段に装填されていない記録媒体に書き込まれている動画ファイルの識別情報を表示部に一覧表示させる。
【００１０】
請求項２に記載の発明は、請求項１に記載の画像ファイル編集装置において、『識別情報は、動画ファイルの作成日時である』ことを特徴とする。
請求項３に記載の発明は、請求項１に記載の画像ファイル編集装置において、『識別情報は、動画ファイルのファイル名である』ことを特徴とする。
請求項４に記載の発明は、請求項１に記載の画像ファイル編集装置において、『識別情報は、動画ファイルの先頭フレームであるサムネイルである』ことを特徴とする。
【００１１】
請求項５に記載の発明は、請求項１に記載の画像ファイル編集装置において、『ＩＤ情報は、記録媒体の容量に関する情報を含む』ことを特徴とする。
請求項６に記載の発明は、請求項１に記載の画像ファイル編集装置において、『ＩＤ情報は、記録媒体のファイル名に関する情報を含む』ことを特徴とする。
請求項７に記載の発明は、請求項１に記載の画像ファイル編集装置において、『ＩＤ情報は、記録媒体のファイル数に関する情報を含む』ことを特徴とする。
【００１２】
請求項８に記載の発明は、請求項１に記載の画像ファイル編集装置において、『ＩＤ情報は、記録媒体のボリュームラベルである』ことを特徴とする。
請求項９に記載の発明は、請求項１に記載の画像ファイル編集装置において、『情報処理手段は、記録媒体が媒体ドライブ手段に装填されてから排出されるまでの期間中に装填された記録媒体のＩＤ情報の少なくとも一部と、記憶手段に格納されたＩＤ情報の一部とを照合する』ことを特徴とする。
【００１３】
請求項１０に記載の発明は、請求項１に記載の画像ファイル編集装置において、『情報処理手段は、媒体ドライブ手段への記録媒体の装填に応答して、記録媒体にＩＤ情報が記録されているか否かを判断し、ＩＤ情報が記録媒体に記録されていないと判断した場合に、記録媒体にＩＤ情報を記録する』ことを特徴とする。
【発明の効果】
【００１４】
本発明の画像ファイル編集装置では、ＩＤ情報に基づいて、媒体ドライブ手段に装填されていない記録媒体に書き込まれている動画ファイルの識別情報を表示部に一覧表示可能である。従って、操作者は、複数の記録媒体間の画像編集を簡便かつ判りやすく実行できる。また、本発明の一形態では、記録媒体が新規に装着されると、その記録媒体上の画像ファイルを自動的に一覧表示する。そのため、記録媒体を入れ替えるたびに、意識して画像ファイルを一覧表示する必要がない。
【００１５】
本発明の別の一形態では、記録媒体上に本来存在する情報をＩＤ情報として使用するので、記録媒体上に余分なＩＤ情報を書き込む必要がない。ＩＤ情報としては、例えば、記録媒体上に本来存在する情報を単一もしくは組み合わせて利用することができる。このような場合、過去に取得したＩＤ情報と照合した結果、同じＩＤ情報がなければ、現時点の記録媒体は新規に装着された記録媒体であることが判明する。一方、画像ファイル編集装置が、記録媒体毎にＩＤ情報を自動的に記録してもよい。このような場合、記録媒体から固有のＩＤ情報が見つからなければ、現時点の記録媒体は新規に装着された記録媒体であることが判明する。さらに、記録媒体に対して余分なＩＤ情報を書き込まないので、読み込み専用の記録媒体についても確実に照合を行うことができる。
【００１６】
本発明の別の一形態では、一覧表示済みの記録媒体に独自のＩＤ情報を書き込むので、ＩＤ情報が別途に変更されるおそれが少なく、記録媒体を正確に照合することが可能となる。
【発明を実施するための最良の形態】
【００１７】
以下、図面に基づいて本発明における実施の形態を説明する。
（第１の実施形態）
図１は、第１の実施形態（請求項１〜請求項９に対応）の機能ブロック図である。
図２は、本実施形態の外観を示す図である。
図１および図２において、画像ファイル編集装置の本体１１の側面には、付属部品であるカメラ部１１ａが回動自在に取り付けられ、カメラ部１１ａには、被写体像を結像する撮影レンズ１２が装着される。
【００１８】
撮影レンズ１２の光軸はカメラ部１１ａの中で屈曲され、その光軸の延長上に、ＣＣＤイメージセンサからなる撮像素子１３の受光面が配置される。
撮像素子１３の光電出力は、Ａ／Ｄ変換部１４を介して、ホワイトバランス調整やガンマ補正などを行う映像信号処理部１５に接続される。
映像信号処理部１５の画像出力は、高能率符号化部１６を介して、マイクロプロセッサ１７のシステムバス１８に接続される。
【００１９】
システムバス１８には、メモリ１９，ディスクドライブ部２０,液晶表示部２２およびタッチパネル２２ａなどがそれぞれ接続される。
上記のタッチパネル２２ａは、液晶表示部２２の表示画面に貼りつけられ、指やペンなどの接触位置を感知する。
ディスクドライブ部２０は、外部から挿入される光磁気記録媒体２３に対して、情報の読み出しおよび書き込みを行うためのヘッド部、およびそのヘッド部を駆動するための駆動機構などから構成される。
【００２０】
液晶表示部２２は、システムバス１８を介して書き換え可能なビデオメモリと、ビデオメモリのデータを随時に読み出して画面に表示する液晶駆動回路と、液晶の表示画面とから構成される。
図３は、この液晶表示部２２の表示例を示す図である。
図３において、液晶表示部２２の表示画面には、第１領域３０ａおよび第２領域３０ｂからなる２つの子ウィンドウが表示される。これらの領域３０ａ，３０ｂ内には、サムネイル画像３１がそれぞれ一覧表示される。
【００２１】
また、液晶表示部２２の表示画面の下側には、画像ファイルの再生を操作するための再生操作釦３３と、画像ファイルの連結を行うための連結釦３４と、媒体間編集モードのモード切り換えを行うための媒体間編集釦３５とが一列に表示される。
なお、請求項１に記載の発明と第１の実施形態との対応関係については、媒体ドライブ手段はディスクドライブ部２０に対応し、編集手段は、マイクロプロセッサ１７の「画像ファイルを連結する情報処理機能」に対応し、識別情報はサムネイル画像３１に対応する。
【００２２】
図４，図５は、本実施形態の動作を説明する流れ図である。
以下、これらの図面を用いて、本実施形態の動作を説明する。
まず、本体１１に電源が投入されると、図３に示したような画面が液晶表示部２２に表示される。この初期状態の表示画面に、サムネイル画像３１は表示されない。
通常、この状態で、指やペンなどにより画面上の操作釦が押圧されると、マイクロプロセッサ１７は、タッチパネル２２ａを介してその押圧位置を感知する。マイクロプロセッサ１７では、その押圧位置に対応したメッセージが随時に発生する。
【００２３】
まず最初に、マイクロプロセッサ１７は、媒体間編集モードか否かを判定する（ステップＳ１）。デフォルトの状態では、一つの光磁気記録媒体２３上の画像ファイルに限って画像編集を行う公知の動作モード（媒体内編集モード）に設定されている。そのため、通常、マイクロプロセッサ１７は、媒体内編集モードに動作を移行する（ステップＳ２）。
一方、「媒体間編集釦３５が押された」というメッセージが発生すると、マイクロプロセッサ１７は、複数の光磁気記録媒体２３にまたがって画像編集を行う動作モード（媒体間編集モード）に移行して、下記の動作を実行する。
【００２４】
まず、マイクロプロセッサ１７は、ディスクドライブ部２０に適当な読み出しを指示し、有意な読み出し情報が得られるまで待機する（ステップＳ３）。この状態で、有意な読み出し情報が得られると、マイクロプロセッサ１７は、光磁気記録媒体２３がディスクドライブ部２０に挿入されたと判断する。
次に、マイクロプロセッサ１７は、ディスクドライブ部２０を介して、光磁気記録媒体２３上のファイル名，ファイル容量およびファイル数などの組み合わせ情報をＩＤ情報として読み出す。マイクロプロセッサ１７は、これらのＩＤ情報をメモリ１９に記録する（ステップＳ４）。
【００２５】
マイクロプロセッサ１７は、ディスクドライブ部２０を介して、光磁気記録媒体２３上の画像ファイルを部分的に読み出し、画像ファイルの先頭画像を取得する。マイクロプロセッサ１７は、この先頭画像に対して画素密度変換を施し、サムネイル画像３１を生成する（ステップＳ５）。
マイクロプロセッサ１７は、このように生成されたサムネイル画像３１を液晶表示部２２のビデオメモリに順次転送して、第１領域３０ａに一覧表示する（ステップＳ６）。
【００２６】
この状態で、マイクロプロセッサ１７は、光磁気記録媒体２３からの有意な読み出し情報が一回中断された後に（媒体の排出）、有意な読み出し情報が再び得られる（媒体の再挿入）まで待機する。
このような確認により、マイクロプロセッサ１７は、光磁気記録媒体２３の交換がなされたことを確認する（ステップＳ７）。
【００２７】
次に、交換された光磁気記録媒体２３に対して、マイクロプロセッサ１７は、ディスクドライブ部２０を介して、ファイル名，ファイル容量およびファイル数などの組み合わせ情報をＩＤ情報として読み出し、メモリ１９に記録する（ステップＳ８）。
マイクロプロセッサ１７は、これら最新のＩＤ情報を、メモリ１９上の前回のＩＤ情報と照合する（ステップＳ９）。
【００２８】
照合の結果、組み合わせ情報の一致する項目が所定数以上になると、マイクロプロセッサ１７は、光磁気記録媒体２３を新規に装着されたものではないと判断し、ステップＳ７に戻って動作を繰り返す。
一方、一致する項目が所定数未満になると、マイクロプロセッサ１７は、光磁気記録媒体２３を新規に装着されたものであると判断する（ステップＳ１０）。
【００２９】
ここで、マイクロプロセッサ１７は、新規に装着された光磁気記録媒体２３から画像ファイルを部分的に読み出し、画像ファイルの先頭画像を取得する。マイクロプロセッサ１７は、この先頭画像に対して画素密度変換を施し、サムネイル画像３１を生成する（ステップＳ１１）。
マイクロプロセッサ１７は、このように生成されたサムネイル画像３１を液晶表示部２２のビデオメモリに順次転送して、第２領域３０ｂに一覧表示する（ステップＳ１２）。
【００３０】
このように記録媒体の新規装着に従って、２つの領域３０ａ，３０ｂに、サムネイル画像３１がそれぞれ一覧表示される。この状態で、マイクロプロセッサ１７は、操作者によるサムネイル選択の実行を待機する（ステップＳ１３）。
ここで、第２領域３０ｂ内においてサムネイル選択がなされると（ステップＳ１４）、マイクロプロセッサ１７は、サムネイル選択の押圧位置に基づいて、選択された画像ファイルを判別する。マイクロプロセッサ１７は、この画像ファイルを選択順のデータと共にメモリ１９にそのまま記録する（ステップＳ１５）。以上の動作をステップＳ１３に戻って繰り返す。
【００３１】
このような繰り返し動作中に、第１領域３０ａにおいてサムネイル選択がなされると（ステップＳ１４）、マイクロプロセッサ１７は、前回分の媒体に対するサムネイル選択が行われたと判断して、光磁気記録媒体２３の交換を促すメッセージを液晶表示部２２に表示する（ステップＳ２１）。
この状態で、マイクロプロセッサ１７は、光磁気記録媒体２３の交換が完了するまで待機する（ステップＳ２３）。
【００３２】
光磁気記録媒体２３の交換が完了すると、マイクロプロセッサ１７は、ディスクドライブ部２０を介して、ファイル名，ファイル容量およびファイル数などの情報をＩＤ情報として読み出す（ステップＳ２４）。
マイクロプロセッサ１７は、これら最新のＩＤ情報を、メモリ１９上の前回のＩＤ情報と照合する（ステップＳ２５）。
【００３３】
照合の結果、一致する項目が所定数未満の場合、マイクロプロセッサ１７は、前回分の光磁気記録媒体２３と異なるものが装着されたと判断し、記録媒体が異なる旨の警告メッセージを表示して（ステップＳ２２）、ステップＳ２３に戻る。
一方、一致する項目が所定数以上になると、マイクロプロセッサ１７は、前回分の光磁気記録媒体２３が装着されたものと判断する（ステップＳ２６）。
【００３４】
この状態で、マイクロプロセッサ１７は、第１領域３０ａ内におけるサムネイル選択を受け付け、選択された画像ファイルのファイル名と選択順のデータをメモリ１９に記録する（ステップＳ２７）。
このステップＳ２７の動作を、第１領域３０ａ内においてサムネイル選択がなされるたびに繰り返す（ステップＳ２８）。
【００３５】
このようなサムネイル選択中に、「連結釦３４が押された」というメッセージが発生すると（ステップＳ２９）、マイクロプロセッサ１７は、選択順のデータに従って、まず、メモリ１９上の画像ファイルを順次に連結する。続いて、マイクロプロセッサ１７は、選択順のデータおよびファイル名に従って、光磁気記録媒体２３の画像ファイルを順次に呼び出して連結する。マイクロプロセッサ１７は、このように連結された画像ファイルをディスクドライブ部２０を介して光磁気記録媒体２３へ記録する（ステップＳ３０）。
【００３６】
このような動作により、本実施形態では、新規に装着された光磁気記録媒体２３について、その媒体上の画像ファイルが自動的に一覧表示される。そのため、記録媒体を新規に挿入した際に、意識して画像ファイルを一覧表示する必要がない。また、記録媒体を何度も交換する際に、記録媒体上の一つの画像ファイルを重複して一覧表示してしまうなどの混乱が一切生じない。さらに、記録媒体上に本来存在する情報をＩＤ情報として兼用しているので、記録媒体上に余分なＩＤ情報を一切書き込む必要がなく、読み込み専用の記録媒体についても確実に照合することができる。
【００３７】
次に、別の実施形態について説明する。
（第２の実施形態）
図６は、第２の実施形態（全請求項に対応）の動作を示す流れ図である。
なお、第２の実施形態における構成上の特徴点については、マイクロプロセッサ１７の内部機能が一部異なるのみで、第１の実施形態（図１，図２）と同様なので重複説明を省略する。
【００３８】
第２の実施形態と請求項との対応関係については、媒体ドライブ手段はディスクドライブ部２０に対応し、編集手段は、マイクロプロセッサ１７の「画像ファイルを連結する情報処理機能」に対応し、識別情報はサムネイル画像３１に対応する。
以下、図６を用いて、第２の実施形態の動作を説明する。
マイクロプロセッサ１７では、サムネイル選択および編集処理などの通常処理が行われる。これらの通常処理の合間に、マイクロプロセッサ１７は、一定時間ごとにタイマ割り込みを発生させて、次の割り込み処理を実行する。
【００３９】
まず、マイクロプロセッサ１７は、ディスクドライブ部２０を介して、光磁気記録媒体２３のボリュームラベルを読み出す（ステップＳ４１）。
マイクロプロセッサ１７は、このボリュームラベルが所定のＩＤ情報と一致するか否かを判定する（ステップＳ４２）。このＩＤ情報は、適当な文字，数字，記号などの組み合わせから構成される。
【００４０】
所定のＩＤ情報と一致した場合、マイクロプロセッサ１７は、既に一覧表示済みの光磁気記録媒体２３であると判断して、割り込み処理を終了する。
一方、所定のＩＤ情報と一致しない場合、マイクロプロセッサ１７は、光磁気記録媒体２３が新規に装着されたと判断する。マイクロプロセッサ１７は、この光磁気記録媒体２３から画像ファイルを部分的に読み出し、画像ファイルの先頭画像からサムネイル画像３１を生成する（ステップＳ４３）。
【００４１】
マイクロプロセッサ１７は、このように生成されたサムネイル画像３１を液晶表示部２２のビデオメモリに転送して、一覧表示する。その結果、新旧のサムネイル表示が表示画面上に併存する（ステップＳ４４）。
次に、マイクロプロセッサ１７は、この光磁気記録媒体２３のボリュームラベルに所定のＩＤ情報を書き込む（ステップＳ４５）。
【００４２】
このようにＩＤ情報を書き込むことにより、この光磁気記録媒体２３が次回に挿入された際に、サムネイル表示の重複を確実に回避することができる。
このような動作の後に、マイクロプロセッサ１７は、割り込み処理を終了する。
なお、上述した実施形態では、記録媒体として光磁気記録媒体２３を採用しているが、本発明は記録媒体の材質や形状構造に限定されるものではなく、画像ファイルを記録できる記録媒体であればよい。例えば、光記録媒体や磁気記録媒体やメモリカードなどでもよい。
【００４３】
また、上述した実施形態では、編集作業として、画像ファイルの連結について説明したが、本発明はそれに限定されるものではなく、画像ファイルに対する編集作業であればなんでもよい。例えば、複数の記録媒体間における画像ファイルの複写，移動，画像合成などでもよい。なお、画像ファイルの連結処理には、オーバーラップ，フェードイン，フェードアウト，ワイプイン，ワイプアウトなどの特殊連結処理が含まれてもよい。
【００４４】
さらに、上述した実施形態では、識別情報としてサムネイル画像３１を採用しているが、本発明はこれに限定されるものではなく、操作者が画像ファイルを識別するための情報であれば、識別情報として採用することができる。例えば、ファイル名，ファイル作成日時などの文字情報でもよい。
また、第２の実施形態では、記録媒体のボリュームラベルにＩＤ情報を書き込んでいるが、本発明はＩＤ情報の書き込み位置に限定されるものではない。記録媒体上の予め定められた箇所であればよく、記録媒体上の管理領域でもデータ領域でもどこでもよい。
【図面の簡単な説明】
【００４５】
【図１】第１の実施形態の機能ブロック図である。
【図２】本実施形態の外観を示す図である。
【図３】液晶表示部２２の表示例を示す図である。
【図４】本実施形態の動作を説明する流れ図である。
【図５】本実施形態の動作を説明する流れ図（続き）である。
【図６】第２の実施形態の動作を示す流れ図である。
【図７】従来の画像編集プログラムによるコンピュータの表示画面を示す図である。
【符号の説明】
【００４６】
１  媒体ドライブ手段
２  一覧表示手段
３  ファイル選択手段
４  編集手段
５  媒体照合手段
６  ＩＤ読み出し手段
７  新旧照合手段
８  ＩＤ記録手段
９  探索判定手段
１１  本体
１１ａ  カメラ部
１２  撮影レンズ
１３  撮像素子
１４  Ａ／Ｄ変換部
１５  映像信号処理部
１６  高能率符号化部
１７  マイクロプロセッサ
１８  システムバス
１９  メモリ
２０  ディスクドライブ部
２２  液晶表示部
２２ａ  タッチパネル
２３  光磁気記録媒体
３０ａ  第１領域
３０ｂ  第２領域
３１  サムネイル画像
３３  再生操作釦
３４  連結釦
３５  媒体間編集釦
【図１】
2005110290.tif 000003
【図２】
2005110290.tif 000004
【図３】
2005110290.tif 000005
【図４】
2005110290.tif 000006
【図５】
2005110290.tif 000007
【図６】
2005110290.tif 000008
【図７】
2005110290.tif 000009